(57)【要約】      （修正有）【課題】フィルタろ材の基材のガラス繊維シートが直接気流に接することを防いで、気流により、ガラス繊維が剥がされることを防止するとともにろ材の寿命が長寿命となる袋状フィルタを提供する。【解決手段】ガラス繊維製ろ材シートの気流に対して上流側および下流側両面に各々補強シート３，３’を貼り合わせ、この２枚のシートを重ね合わせて一側縁を除いて他の側縁部を覆い布で挟みさらに覆い布の上から糸で縫い合わせて袋状にした袋状フィルタろ材１を、外周囲枠１１に接着剤または両面テープ１２に貼り付け、固定保持した袋型エアフィルタ。【選択図】図４
2011161429.tif 000002
【特許請求の範囲】
【請求項１】
２枚のガラス繊維製ろ材シートと補強シートと覆い布および補強布とからなる袋状フィルタろ材を格子状内枠の外周囲枠に接着剤にて固定保持するか格子状内枠の外周囲枠に着脱自在に取り付けるようにして保持したことを特徴とした袋型エアフィルタ
【請求項２】
袋状フィルタろ材は、両面に各々補強シートを貼り合わせた２枚のガラス繊維製ろ材シートを重ね合わせ、一側縁を除いて他の側縁部を覆い布で挟み覆い布の上から糸で縫い合わせて袋状にしたことを特徴とした請求項１記載の袋型エアフィルタ。
【請求項３】
袋状フィルタろ材の一側縁は両面に各々補強シートを貼り合わせたガラス繊維製ろ材シートの上に補強布を被せて縫い合わせて一体化したことを特徴とした請求項１記載の袋型エアフィルタ。
【発明の詳細な説明】
【技術分野】
【０００１】  本発明は工場空調、ビル空調あるいはガスタービン吸気などのプレフィルタあるいは中高性能フィルタとして使用される袋型エアフィルタに関するものである。
【背景技術】
【０００２】  従来  袋型エアフィルタは、取付け枠に複数枚の袋状フィルタろ材を接着剤によって取り付けた固定式と、取付け枠に袋状フィルタろ材を着脱自在に取り付けた着脱式のものが使用されている。【０００３】  そして、従来は、片側面に補強シートを貼り合わせた２枚のガラス繊維製ろ材シートを重ね合わせ、一側縁を除いて他の側縁部を覆い布で挟み覆い布の上から糸で縫い合わせて袋状にした袋状フィルタろ材を取付け枠に接着剤で固定するか、接着剤を使用せずに着脱自在にして取り付けられ袋型エアフィルタが形成されている。【０００４】  そこで、粉塵保持を担う袋状フィルタろ材のガラス繊維が気流に対して上流側となる面に剥き出しとなるため、特に気体流入口の機能を有する枠取付け部の開口部付近において偏流、乱流などの気流によりガラス繊維が剥がされて、袋状フィルタろ材の下流側の補強シートのみになってしまい、粉塵保持を担う袋状フィルタろ材としての役割を果たさなくなり破損することもあった。【０００５】  このため、捕集効率が著しく悪くなって袋型エアフィルタの性能低下が発生する上、寿命が短くなって結果的にコストアップにつながった。
【発明の概要】
【発明が解決しょうとする課題】
【０００６】  本発明は上記のような問題点を解決しょうとしたもので、まず本発明の目的は、袋状フィルタろ材の基材であるガラス繊維製ろ材シートが気流に対して剥き出しとならないようにしたものである。
【０００７】  次に本発明の目的は偏流、乱流などの気流によりガラス繊維が剥がされ、気流に乗って下流側へ運ばれて行くのを防止しょうとしたものである。
【０００８】  また本発明の目的は、粉塵保持を担う袋状フィルタろ材の寿命を長寿命となるよう取り付けたものである。
【課題を解決するための手段】
【０００９】  本発明の第１の解決手段は、袋型エアフィルタを袋状フィルタろ材と袋状フィルタろ材を支持固定する格子状内枠と格子状内枠に嵌合する格子状外枠とから構成したことを特徴としたものである。
【００１０】  本発明の第２の解決手段は袋状フィルタろ材の枠取付け部を格子状内枠の外周囲枠に接着剤を塗布し固着保持したことを特徴としたものである。
【００１１】  本発明の第３の解決手段は袋状フィルタろ材の枠取付け部を格子状内枠の外周囲枠に着脱自在に取り付けたことを特徴としたものである。
【００１２】  本発明の第４の解決手段は袋状フィルタろ材を２枚のガラス繊維製ろ材シートと補強シートと覆い布および補強布とから構成したことを特徴としたものである。
【００１３】  本発明の第５の解決手段はガラス繊維製ろ材シートの気流に対して上流側および下流側両面に各々補強シートを貼り合わせ、この２枚のシートを重ね合わせて一側縁を除いて他の側縁部を覆い布で挟みさらに覆い布の上から糸で縫い合わせて袋状にしたことを特徴としたものである。
【００１４】  本発明の第６の解決手段は袋状フィルタろ材の枠取付け部の開口部縁部は補強布と共に糸で縫い合わされ複数個の袋状フィルタろ材が連結縫製されていることを特徴としたものである。
【００１５】  ここで、本発明に使用される袋状フィルタろ材は例えば部材としては、ガラスマット、合成繊維不織布またはメルトブロー法による極細繊維とガラスマットの積層品、混紡品または極細繊維と合成繊維不織布の積層品、混紡品などが使用できる。
【００１６】  また、ろ材密度は従来より袋状フィルタろ材として使用されてきたものがそのまま使用でき、特に限定されるものではない。一般的には５０〜３７０ｇ／ｍ２で、その中でも６０〜２００ｇ／ｍ２がさらに良い。
ろ材の厚みも、従来の袋状フィルタろ材として使用されてきたものがそのまま使用でき、特に限定されるものではない。一般的には５〜２０ｍｍで、その中でも５〜１０ｍｍがさらに良い。
【００１７】  そして、覆い布の幅はろ材の側縁部がほぐれることなく、気流の流れに障害とならない程度の細いものが好ましい。さらに袋状フィルタろ材に合成繊維不織布を使用した場合は、縫製の代わりに熱溶着加工を行うことも可能である。
【００１８】  次に格子状内枠は袋状フィルタろ材の数に１つ少ない数の格子桟と外周囲枠とからなり、格子桟と外周囲枠とも凸部あるいはコの字状あるいは矩形状枠となっている。そして外周囲枠の側面全周に接着剤を塗布し、気流の流れの下流側方向より格子状内枠を袋状フィルタろ材に嵌め込んだとき、格子状内枠の上面が袋状フィルタろ材の枠取付け部及び補強布を狭持すると共に固着保持されるようになっている。
【００１９】    また、外周囲枠の側面全周に両面テープを貼り付け、格子状内枠を袋状フィルタろ材に嵌め込んだとき、格子状内枠の上面が袋状フィルタろ材の枠取付け部及び補強布を着脱自在に狭持固定するようになっている。
【００２０】  ここで格子状内枠の形状を凸部あるいはコの字状あるいは矩形状としたがこれに限定されることなく、格子状内枠の形状は格子状外枠に嵌合した時、袋状フィルタろ材の枠取付け部および補強布に当接するように形成されていれば種々変更しても何ら本発明の要旨を変更するものではない。また、複数の開口部を持つ一体式の取付枠に袋状フィルタろ材を接着剤にて固着保持しても良い。
【００２１】  上記課題解決手段による作用は次の通りである。すなわち２枚のガラス繊維製ろ材シートの気流に対して上流側および下流側両面に各々補強シートを貼り合わせ、このシートを重ね合わせて一側縁を除いて他の側縁部を覆い布で挟み、次に覆い布の上から糸で縫い合わせて袋状にし、さらに袋状フィルタろ材の枠取付け部の補強布を格子状内枠の外周囲枠に接着剤にて固着保持するか、格子状内枠の外周囲枠の側面方向に折り返し補強布を両面テープに貼り付け保持した構造であるので、袋状フィルタろ材のガラス繊維製ろ材シートが気流に対して剥き出しとならないようになり、このため上流側からの強い偏流、乱流などの気流によりガラス繊維が剥がされ、気流に乗って下流側へ運ばれて行くのを防止できる。
【００２２】  また袋状フィルタろ材の開口部に流入した気流により袋状フィルタろ材が膨らむが、袋状フィルタろ材は糸で縫い合わせられているので、袋状フィルタろ材の隣同士が接近することによる摩擦や損傷が防止される上、通風時の有効濾過面積が小さくなるのが防止できるものである。
【００２３】  さらに、上流側からの強い気流の圧力変動や振動あるいは気流の乱れなどにより外力を受けフィルタろ材の枠取付け部が離脱することがないようになっている。
【発明の効果】
【００２４】  上述したように、本発明の袋型エアフィルタは次のような効果が得られる。
（１）２枚のガラス繊維製ろ材シートの気流に対して上流側および下流側両面に各々補強シートを貼り合わせた袋状フィルタろ材の構造となっているので、ガラス繊維製ろ材シートが気流に対して剥き出しとならず、このため上流側からの強い偏流、乱流などの気流によりガラス繊維が剥がされ、気流に乗って下流側へ運ばれて行くのを防止できる。
（２）気流の通風時に袋状フィルタろ材が均一にふくらみ、濾過面を有効に利用することができるため、最大の粉塵保持が可能である。
（３）袋状フィルタろ材の粉塵保持性能がアップしたことにより寿命が長くなり、結果的にコストの低減となる。
【図面の簡単な説明】
【００２５】
【図１】袋型エアフィルタを組み立てた全体図である。
【図２】袋状フィルタろ材の斜視図である。
【図３】図２のＡ−Ａ横断面図である。
【図４】本発明の袋型エアフィルタの分解斜視図である。
【図５】格子状内枠に袋状フィルタろ材の枠取付け部および補強布を接着剤あるいは両面テープで貼り付け固定した状態を示す図である。
【発明を実施するための形態】
【００２６】  以下、本発明の実施形態に係る袋型エアフィルタを添付図面に基づいて説明する。
（第１の実施形態）
第１の実施形態は取付け枠に袋状フィルタろ材を接着剤で取り付けた固定式のものについて説明する。
【００２７】  １はガラス繊維からなる袋状フィルタろ材で、２枚の長方形のガラス繊維製ろ材シート２、２’の両面に各々補強シート３、３’を貼り合わせ、この２枚の長方形のガラス繊維製ろ材シート２、２’を重ね合わせ、一側縁を除いて他の側縁部を覆い布４で挟みさらに覆い布４の上から糸で縫い合わせて袋状にしたものである。
【００２８】  また一側縁は気体流入口の機能を有する開口部を形成した枠取付け部５で、この枠取付け部５には補強布６が縫い付けられている。さらに、隣接した枠取付け部５は補強布６と共に糸で縫い合わされ複数個の袋状フィルタろ材１が連結縫製されている。さらに袋状フィルタろ材１には長尺縫合線７、短尺縫合線８が設けられている。
【００２９】  次に９は格子状内枠で格子桟１０と外周囲枠１１とからなっている。そして格子桟１０と外周囲枠１１は凸部あるいはコの字あるいは矩形状となっている。さらに外周囲枠１１の側面全周には接着剤１２が貼り付けられている。そして枠取付け部５および補強布６を格子状内枠９の外周囲枠１１の側面方向に折り返して枠取付け部５および補強布６で接着剤１２に貼り付けることにより保持される。
【００３０】  次に格子状外枠１３は格子状内枠９の格子桟１０と外周囲枠１１とに対応する位置に形成された格子桟１４と外周囲枠１５とからなっている。そして格子桟１４と外周囲枠１５は凹部状となっている。
【００３１】さらに格子状外枠１３の外周囲枠１５両側面には各々２つのツメ１６が一体に形成されている。そして格子状外枠１３を格子状内枠９に嵌合した状態で格子状外枠１３のツメ１６を格子状内枠９の外面に押し当てる。これにより格子状内枠９と格子状外枠１３とが確実に密着固定され袋型エアフィルタが形成される。
【００３２】（第２の実施形態）
第２の実施形態は取付け枠に塗布した接着材に代えて両面テープを貼り付け袋状フィルタろ材の枠取付け部５を着脱自在にしたもので。第１の実施形態とほぼ同一であることから詳細説明については省略する。
【００３３】  なお、上記実施形態では１実施例を述べただけで、種々変更しても何ら本発明の要旨を変更するものではない。例えば格子状外枠１３のツメ１６を格子状外枠１３と一体に形成したとしているが、別部品のツメ１６を格子状外枠１３に取り付けても可能である。さらに両面テープあるいは接着剤は袋状フィルタろ材１を格子状内枠９に保持させる機能を持ったものであれば良く、例えば、面ファスナー、マグネットなどでも本発明の要旨を変更するものではない。また、複数の開口部を持つ一体式の取付け枠に袋状フィルタろ材を接着剤にて固着保持しても良い。
【産業上の利用可能性】
【００３４】    本発明は、工場、ビルあるいはガスタービンプラントなどの外気取り入れや空調などに使用される空気清浄用の袋型エアフィルタで２枚のガラス繊維製ろ材シートの両面に各々補強シートを貼り合わせるだけといった簡単な方法で、袋状フィルタろ材の枠取付部を確実に取り付けられるようにしたので、偏流、乱流などの気流によりガラス繊維が剥がされて破損するといったことを防止した実用性甚だ大なるものである。
【符号の説明】
【００３５】１・・・袋状フィルタろ材    ２、２’・・・ガラス繊維製ろ材シート
３、３’・・・補強シート    ４・・・覆い布    ５・・・枠取付け部
６・・・補強布    ９・・・格子状内枠    １０・・・格子桟
１１・・・外周囲枠      １２・・・接着剤または両面テープ
１３・・・格子状外枠    １４・・・格子桟    １５・・・外周囲枠
【図１】
2011161429.tif 000003
【図２】
2011161429.tif 000004
【図３】
2011161429.tif 000005
【図４】
2011161429.tif 000006
【図５】
2011161429.tif 000007